(57)【要約】【課題】  オペレーターの介在域に対する可視性を改善し、防護スクリーンの後ろにいるときゆとりのある状態で介在物を操作できるようにする。【解決手段】放射線防護スクリーンは前壁（１）とこの前壁（１）の一つの側辺から実質的に直角に延びる横壁（２）とから成り、これらの壁（１，２）はそれの高さの少なくとも一部分にわたっている透明パネル（８，１０）を含んでいる。前壁（１）の上方部（８）は一方では、前に傾斜して被さるようになって、それによりオペレーターは介在域に近づくことができ、他方では２つの穴（１１，１２）があってオペレーターの腕を通せるようになっている。
2005523437.tif 000002
【特許請求の範囲】
【請求項１】
エックス線タイプの電離輻射線放射などに対してオペレーターの保護を保障する放射線防護物質からつくったスクリーンであって、前壁（１）とこの前壁（１）の一つの側辺から実質的に直角に延びる横壁（２）とから成り、これらの壁（１，２）はそれの高さの少なくとも一部分にわたっている透明パネル（８，１０）を含んでいるスクリーンにおいて、前壁（１）の上方部（８）は一方では、前に傾斜して被さるようになって、それによりオペレーターは介在域に近づくことができ、他方では２つの穴（１１，１２）があってオペレーターの腕を通せるようになっていることを特徴としたスクリーン。
【請求項２】
前壁（１）の下方パネル（７）は実質的に垂直であって、それの上方パネル（８）の少なくとも一部分は透明材料からできており、この上方パネル（８）は前傾し、それが垂直と成す角度は１０°と３０°の間である請求項１に記載の防護スクリーン。
【請求項３】
前傾している上方パネル（８）は垂直に対して１５°と２０°の間の角を成している請求項２に記載の防護スクリーン。
【請求項４】
前壁（１）の下方パネル（７）は不透明材料でつくられ、それの高さは６０ないし１００センチメートルであり、そこから延びる上方パネル（８）は少なくともオペレーターの身長に相当する高さ、すなわち２メートルまで延びる請求項１ないし３のいずれかに記載の防護スクリーン。
【請求項５】
オペレーターの腕を通す穴（１１，１２）は放射線防護材料のオーバースリーブ（２５）を設けた請求項１ないし４のいずれかに記載の防護スクリーン。
【請求項６】
防護オーバースリーブ（２５）は円形クラウン（２７）に取りつけたしなやかなストリップ（２６）から形成され、円形クラウン（２５）は腕を通す穴の縁に取りつけられ、ストリップ（２６）は相互に重なっており、そしてオーバースリーブ（２５）の端の袖口近くはしなやかなリストバンド（２８）によって保持されている請求項５に記載の防護スクリーン。
【請求項７】
腕を通す一方の穴（１１）は前壁（１）と横壁（２）とが形成する隅近くにあり、他方の穴（１２）は前壁（１）の自由縁にあって、側方に開いている請求項１ないし６のいずれかに記載の防護スクリーン。
【請求項８】
腕を通す穴を設けた前壁の上方パネル（８）はこれらの穴を裏から塞ぐ移動パネル（１３）を含み、上方パネル（８）は移動パネルの穴（１１，１２）よりも大きい長円形の穴（１１’，１２’）を含み、これらの長円形の穴は移動パネルの穴（１１，１２）が走査する全域にわたって広がっており、移動パネルの穴（１１，１２）の高さを調整できるようにした請求項１ないし７のいずれかに記載の防護スクリーン。
【請求項９】
前壁（１）の縦方向に固定されたレール（１４，１５）の形をした案内手段と移動パネル（１３）は協働し、移動パネル（１３）の高さ位置を調整する錠止手段が前壁（１）の縁に並んだ指標孔（１６）と移動パネル（１３）と組合せた係留指（１７）とから形成されている請求項８に記載の防護スクリーン。
【請求項１０】
キャスターホイール（５、５’）の付いたフレームもしくは構造体（４）に垂直に滑動するように取りつけた組立体を前壁（１）と横壁（２）とが形成し、腕を通す穴（１１，１２）の高さを調整できるようにしている請求項１ないし７のいずれかに記載の防護スクリーン。
【請求項１１】
防護スクリーンは前壁（１）と横壁（２）とから成る組立体を制御する装置を含み、この装置は制御部材により駆動されるアクチェーターの形となっている請求項１０に記載の防護スクリ−ン。
【請求項１２】
フレームもしくは構造体（４）と一体のキャスターホイール（５）は異なる底辺に位置しており、そして少なくとも一つの追加のキャスターホイール（５’）は前壁（１）の前面で突出した支え（６）により支持され、支持領域を増大している請求項１ないし１１のいずれかに記載の防護スクリーン。
【請求項１３】
前壁（１）と横壁（２）とへ、又はシャーシもしくは構造体（４）へ含鉛ゴム材料のしなやかなストリップ（３２）を取りつけた請求項１ないし１２のいずれかに記載の防護スクリーン。
【請求項１４】
腕を通す穴（１１，１２）の高さよりも低くなっている前壁（１）の両面に小さいバーもしくは出張り（３０）を設けて殺菌領域内に取りつけられるようにした請求項１ないし１３のいずれかに記載の保護スクリーン。
【請求項１５】
前壁（１）と横壁（２）との間に延び天板として働く放射線防護材料の別の板（３）を含む請求項１ないし１４のいずれかに記載の防護スクリーン。
【請求項１６】
オペレーターの背中を保護するしなやかなカーテン（３７）を含んでいる請求項１ないし１５のいずれかに記載の防護スクリーン。
【請求項１７】
オペレーターを支える取り外せる腕載せ（４０）を含んでいる請求項１ないし１６のいずれかに記載の防護スクリーン。
【発明の詳細な説明】
【技術分野】
【０００１】
本発明は放射線防護スクリーンに係るものであり、そして具体的にはエックス線やガンマー線のような電離輻射線放射に対してオペレーターを防護する医学分野で使用するスクリーンに係るものである。
【０００２】
患者の上方に介在物、例えばカテーテル、ペースメーカー、管束、神経もしくは泌尿器試験器具・…があって、その患者が電離輻射線に曝されている場合オペレーター（技師、医師、外科医など）は患者が曝されている電離輻射線に対して保護されなければならない。
【背景技術】
【０００３】
既存の防護構造物は、放射線防護材料からつくったベスト、上着もしくはエプロンであった。
【０００４】
また、適当な材料のパネルやパネル組立体を地上に垂直に立てたり、支持体に立てかけたりした。
【０００５】
しかし、放射線防護材料の布ではオペレーターの適切な保護は得られない。それらはオペレーターの全身（頭、両脚、両腕そして両足）を覆うことはないからであり、そしてまた、これらの布が重いからである。他方、特許文献１もしくは２に開示の放射線防護スクリーンはオペレーターを気持ちよくそして全く安全に働けるようにするものではない。
【特許文献１】：ＵＳ−Ａ−３３０８２９７
【特許文献２】：ＥＰ−Ａ−０３４５５４８
【発明の開示】
【発明が解決しようとする課題】
【０００６】
本発明はオペレーターが人間工学的な観点で有効に動ける放射線防護スクリーンの新規な構造を提供するものである。
【０００７】
本発明の目的は、一方でオペレーターの可視性を改善し、他方ではスクリーンの後ろにいるときゆとりのある状態で介在物を操作できるようにすることである。こうしてオペレーターは活動しやすくなり、重い布を着けることもなく、精確にそして効率よく、そして全く安全に介在物を操作できるのである。
【課題を解決するための手段】
【０００８】
本発明の放射線防護スクリーンは、前壁とこの前壁の一つの側辺から実質的に直角に延びる横壁とから成り、これらの壁はそれの高さの少なくとも一部分にわたっている透明パネルを含んでいる。前壁の上方部は前に傾斜して被さるようになって、それによりオペレーターは介在域に近づくことができる。前壁の上方部には２つの穴があってオペレーターの腕を通せるようになっている。
【０００９】
前壁の下方パネルは実質的に垂直であって、それの上方パネルの少なくとも一部分は透明材料からできており、この上方パネルは前傾し、それが垂直と成す角度は１０°と３０°の間である。
【００１０】
前傾している上方パネルは垂直に対して１５°と２０°の間の角を成しているのが好ましい。
【００１１】
前壁の下方パネルは不透明材料でつくられ、それの高さは６０ないし１００センチメートルであり、そこから延びる上方パネルは少なくともオペレーターの身長に相当する高さ、すなわち２メートルまでのびる。
【００１２】
オペレーターの腕を通す少なくとも一方の穴には放射線防護材料のオーバースリーブを設けている。これはオペレーターの手首や前腕を覆ってよりよく保護するためである。このオーバースリーブは円形クラウンに取りつけた複数のしなやかなストリップから成り、虹彩（絞り）の形にするのが有利である。円形クラウンは穴の縁にプッシュ・ボタンのような適当な手段により取りつけられるようにする。例えば4枚のストリップは鉛入りのゴムからできていて、重なり合っている。オーバースリーブの外縁近くの外側はしなやかなリストバンドによって纏められているのが好ましい。
【００１３】
腕を通す一方の穴は前壁と横壁とが形成する隅近くにあり、他方の穴は同じ高さで前壁の自由縁にあって、側方に開いて、他方の腕の動きを容易にさせている。
【００１４】
第１の実施例では、腕を通す穴を設けた前壁の上方パネルは移動パネルから成る裏当てもしくはライニング・システムを含む。その移動パネル自体にも腕を通す穴を開けており、これらの穴は前壁の上方パネルの腕を通す穴と整合しており、上方パネルの穴は移動パネルの穴よりも大きい長円形であって、これらの長円形の穴は移動パネルの穴が走査する全域にわたって広がっている。これによって移動パネルの穴の高さを調整できる。
【００１５】
前壁の縦方向に固定されたレールの形をした案内手段と移動パネルは協働する。この移動パネルの高さ位置を調整する錠止手段が前壁の縁に並んだ指標孔と移動パネルと組合せた係留指とから形成されており、これを使ってオペレーターの身長に応じて幾つかの位置に移動パネルを錠止できる。
【００１６】
腕を通す穴の高さを調整できるようにしたさらに別の実施例では前壁と横壁とは、キャスターホイールの付いたフレームもしくは構造体に垂直に滑動するように取りつけた組立体を形成している。
【００１７】
防護スクリーンは前壁と横壁とから成る組立体を制御する装置を含むのが有利であり、この装置はペダルとか押しボタンのような制御部材により駆動されるアクチェーターの形を取る。
【００１８】
フレームもしくは構造体と一体のキャスターホイールは異なる底辺に位置しており、そして少なくとも一つの追加のキャスターホイールは前壁の前面で突出した支えにより支持され、支持領域を増大している。
【００１９】
さらに別の構成の防護スクリーンでは前壁と横壁とへ、又はシャーシもしくは下部構造体へ含鉛ゴム材料のような放射線防護材料のしなやかなストリップを取りつけ、あるタイプの医療介在物などに必要な物へ接続したペダル，ケーブルなどのアクセサリーを通過させられるようにしている。
【００２０】
さらに別の構成の防護スクリーンでは腕を通す穴の高さよりも低い位置で前壁の外側と内側の両面に小さいバーもしくは出張りを設けている。
【００２１】
さらに別の構成の防護スクリーンは前壁と横壁との間に延び天板として働く放射線防護材料の別の板を含んでいる。
【００２２】
さらに別の防護スクリーンはオペレーターの背中を保護するしなやかなカーテンとオペレーターを支える取り外せる腕載せを含んでいる。
【発明を実施するための最良の形態】
【００２３】
以下に２つの本発明の実施例を添付図を参照して説明する。もとより本発明はこれらの実施例に限定解釈さるべきものではない。
【００２４】
図１と図２を参照する。放射線防護スクリーンは前壁１とこの前壁に直角に配置された横壁２とを備える。
【００２５】
スクリーンの上方部は天板３としての別の板を含んでいる。この天板は前壁１と横壁２の上縁の間にあってその空間全部もしくはその一部分を占めている。
【００２６】
電離輻射線放射に対してオペレーターを保護しているこのタイプのスクリーンは適当な放射線防護の材料のパネルから成る。アルミニュームのような金属骨組みによりこれらのパネルは支持されて、総ての継ぎ目で連続した放射線防護を実現している一体のシールドをつくっている。
【００２７】
このスクリーンの下方パネルは（例えば、鉛板でシールドした木材パネルからつくられていて）放射線を通さず、また不透明である。上方パネルは（例えば、鉛含宥ガラスもしくは鉛プレキシグラスであって）透明であり、放射線に患者が曝されている手術場所で医療介在物を前方と側方でオペレーターが見られるようにしている。
【００２８】
スクリーンの下部構造４にキャスター・ホイール５を取り付けて移動を容易とさせる。注意すべきはこれらのキャスター・ホイール５は横壁の下縁と前壁の下縁とに配置されており、また別のキャスター・ホイール５’が前壁１の前方に配置され、前壁と一体の支え６によって支持され、スクリーンの支持領域面を拡大し、それの安定性を高めている。これらのキャスター・ホイール５、５’は回転するよう取りつけられており、そして取り外せるようになっており、また解除できるブレーキを装着しているのが好ましい。
【００２９】
垂直の不透明パネルから成る下方部７と透明パネルから成る上方部８とから前壁１を構成する。
【００３０】
この透明パネル８は少し前傾している。すなわち、作業域に向って傾斜し、それの傾斜角度は垂直に対して１０°と３０°の間にあり、好ましくは１５°と２０°の間にあって、オペレーターが前にかがみ込めるようにし、手術域に接近でき、支障なくよく見えるようにしている。
【００３１】
横壁２は側方で垂直に延び、それの下方不透明パネル９と上方透明パネル１０とを含み、この上方パネルからオペレーターは側方を見ることができ、患者を監視できる。
【００３２】
この横壁２は前壁１のニ面形状に合わせ、その透明パネル１０は台形となっている。
【００３３】
天板３は透明な材料からできているが、よく見えなくてもよければ不透明な材料からできていてもよい。
【００３４】
これらの壁や天板の寸法はすべてのオペレーターの身長を受け入れることができるように選定されている。前壁１と横壁２とは、例えば２メートルの高さとする。
【００３５】
前壁１の下方パネル７は手術台に対応する点まで高くなっており、６０センチメートルから１００センチメートル、好ましくは８０センチメートルとなっている。
【００３６】
前壁１の上方透明パネル８は手術台の高さの８０センチメートルと２メートルとの間ということになる。手術台より上の、上方透明パネルの下方部分には穴１１，１２が開けてあり、オペレーターが腕を通して確かな仕方で患者に接近できるようにしている。
【００３７】
オペレーターの身長に応じた高さに調整して腕を通せるように穴１１，１２を垂直に動かす手段をこの放射線防護スクリーンに講じている。
【００３８】
すなわち、一方では穴１１，１２を前壁１のパネル８に配置し、他方ではライニングパネル１３をスクリーンの内側に配置する。この一体のライニングパネル１３は前壁１の上方パネル８の内面に配置される。それはパネル８に平行して動け、前壁１と一体の縦レール１４、１５に案内され、そしてそれの位置は係留指１７と協働する指標孔１６により決められる。指標孔１６はパネル８の縦縁８に垂直に開けた孔である。係留指１７は移動パネル１３と一体であり、そして移動パネルは腕を通す穴１１，１２の所要の高さに対して指標孔１６の一つに係留指を挿入させて固定できる。
【００３９】
移動パネル１３の穴１１，１２にはリング１８，１９を取りつける。ネジで取りつけ容易に取り外せるようにし、オートクレーブで処理できるようにする。
【００４０】
前壁１のパネル８は長円形の穴１１’と１２’を含み、これらは移動パネル１３の穴１１、１２よりも大きくなっていて、それの大きさ、形そして位置はライニングパネル１３の走行に適応するようになっている。これらの穴１１’と１２’はライニングパネル１３によりそれの位置とは関係なく常に覆われている。
【００４１】
ライニングパネル１３は例えば前壁１の上方パネル８と同じ放射線防護材料からできている。
【００４２】
移動パネル１３の穴１１は円形であり、それは前壁１と横壁２とがつくる隅に近い。この円形の穴１１は図1、２の実施例でオペレーターの腕を通すようになっている。
【００４３】
移動パネル１３の穴１２は前壁１の自由縁に向って配置され、横に開いていて、実際にＵ字形となって腕を容易に外せるようにし、動きも大いに自由になるようにしている。
【００４４】
オペレーターの保護を高めるために穴１１を通る電離輻射を制限すべく虹彩もしくは絞りの形の防護オーバースリーブ２５を穴１１に付ける。この虹彩２５を図３に示す。それはここでは4枚のストリップ２６を組合せて成り、それらは部分的に重なっており、穴１１の直径に直径が一致している円形クラウン２７に取りつけられている。
【００４５】
これらのストリップ２６は例えば鉛を含入したゴムからつくられ、リストバンド２８により弾性的に袖口で保持されるようにしているのが好ましい。
【００４６】
虹彩もしくは絞りの形のオーバスリーブ２５は穴１１のリング１８にそれのクラウン２７により例えば押しボタン２９で固定される。
【００４７】
図１と図２に見るように、本発明のスクリーンではライニングパネル１３は小さいバーもしくは出張り３０を有し、パネル８の外面にも有しており、これらは殺菌領域で取り付けられるよう意図している。パネル７の内面は２つのハンドルグリップ３１を付けている。
【００４８】
それの下方域、すなわちキャスターホイール５、５’を固定したフレームもしくは下部構造４と地面との間でスクリーンはストリップ３２を配置し、しなやかな保護エプロンを構成している。これらのストリップ３２は相互に部分的に重なっている。それらは例えば鉛を含入したゴムでつくられ、ある種の介在物に使われている制御電線やペダルのようなアクセサリーを通せるようにしている。
【００４９】
これらのストリップ３２は前壁１と横壁２のパネル７、９の下部へ適当な手段により取りつけられている。
【００５０】
図４ないし図６は本発明の放射線防護スクリーンの別の実施例を示す。
【００５１】
この実施例においては先の実施例と同じ部分について同じ参照番号を付し、その理解を容易にしている。
【００５２】
キャスターホイール５を付けたフレームもしくは構造体４により前壁１、横壁２そして天板３を支持している。
【００５３】
前壁１の下部７は垂直の不透明パネルから成り、上部８は垂直に対して１０°と３０°の間の（好ましくは１５°と２０°の間の）角度だけ前傾している。上部８は下部７に揃えて不透明域３４を含み、これにオペレーターの腕を通せる２つの穴１１，１２を開けてある。この不透明域３４の上に透明域３５がある。
【００５４】
穴１１は円形であり、外方に突出する保護オーバースリーブー２５を穴１１に装着している。穴１２は横に開いたＵ字形となっている。先に説明した実施例のように穴１１，１２に取り外せるリングを設けるのが有利である。
【００５５】
横壁２は垂直に延び、そしてそれの下方の不透明部９の上に透明部１０がある。この実施例では天板３は不透明である。
【００５６】
前壁１、横壁２そして天板３はシールドされたアルミニュームの金属骨組により支えられている。
【００５７】
この金属骨組は支持下部構造４に対して高さを調整でき、オペレーターの身長に応じて穴１１，１２の高さを決められる。図４で双頭の矢印で示すこの調整は下部構造４の上の金属骨組の滑動組立体により得られる。この滑動組立体は金属骨組の垂直支柱に係合する下部構造と一体の案内スライドにより実現される。油圧式もしくは他の形式の一つもしくは幾つかのアクチュエーターがペダル、押しボタン、ジョイステイックなどの制御部材により駆動される運動制御システムを形成する。
この調整システムは図面に示してはいない。
【００５８】
図４ないし図６に見られるように、本発明のスクリーンはオペレーターの背中を保護することのできるしなやかなカーテン３７を含む。このしなやかなカーテン３７は鉛含入のゴムのしなやかなストリップ３８を並置して成り、スクリーンの上部の、例えば天板３の縁もしくは横壁２の上縁のカンチレバーに固定した支持アーム３９に取り付けられる。
【００５９】
好ましくは、その支持アーム３９は垂直軸の周りで関節で回動するように取りつけてカーテンをオペレーターの背後で動かせるようにし、または簡単にそれの位置を調整できるようにする。
【００６０】
このしなやかなカーテン３７は効果的で完全な放射線防護の移動壁を形成している。
【００６１】
図５もアーム４０を示しており、このアームはスクリーンの上部の半分の処で横壁２からのカンチレバーに支持され水平に伸び、オペレーターの背中もしくは腎臓の所を支える部材として作用する。
【００６２】
この凭れの支持体は好ましくは外せるようになっている。それは横壁２に関節で取りつけられた、可倒式のクロス・ブレーシングロッドと組合せるようにしてもよい。
【００６３】
図４ないし図６も鉛含有のゴムのストリップ３２を示しており、前壁１と横壁２とに揃えて下部の保護を補っている。これらの保護ストリップ３２は下部構造４及び又は前壁１と横壁２の下方縁に取りつけている。
【００６４】
出張り３０、カーテン３７もしくは腕のせ４０のような様々なアクセサリーは任意事項であって記述の実施例にもその変形態様にも、単独で、もしくは組合せて使える部材である。
【００６５】
開いた穴１２にはオーバースリーブ２５と同じような、しかし側方で開いている保護用オーバスリーブを装着してもよい。スクリーンが腕を通す２つの円形の穴を含むときは保護用オーバースリーブ２５を両方の穴に装着するのが有利である。
【図面の簡単な説明】
【００６６】
【図１】本発明の放射線防護スクリーンの第１実施例の斜視図であり、前面の4分の3を示す。
【図２】図１のスクリーンの内側を示す斜視図。
【図３】図１と図２のスクリーンのオペレーターの左腕を通す円形の穴に適合する虹彩（絞り）の形の保護オーバースリーブを示す拡大図。
【図４】本発明の放射線防護スクリーンの第２の実施例の正面図である。
【図５】図４のスクリーンの斜視図であり、背面の４分の３を示す。
【図６】図４と，図５のスクリーンの背面の４分の３を示す。
【符号の説明】
【００６７】
１        前壁
２        横壁
３        天板
４        下部構造
５、５’  キャスターホイール
６        支え
７        下方部
８        上方部
９        パネル
１０        透明パネル
１１、１１’穴
１２，１２’穴
１３        裏当て；ライニングパネル
１４        レール
１５        レール
１６        指標孔
１７        係留指
１８        リング
１９        リング
２５        防護オーバースリーブ
２６        ストリップ
２７        円形クラウン
２８        リストバンド
２９        押しボタン
３０        バーもしくは出張り
３１        ハンドルグリップ
３２        ストリップ
３４        不透明域
３５        透明域
３７        カーテン
３８        ストリップ
３９        支持アーム
４０        アーム
【図１】
2005523437.tif 000003
【図２】
2005523437.tif 000004
【図３】
2005523437.tif 000005
【図４】
2005523437.tif 000006
【図５】
2005523437.tif 000007
【図６】
2005523437.tif 000008
【国際調査報告】
2005523437.tif 000009
2005523437.tif 000010
2005523437.tif 000011
2005523437.tif 000012
2005523437.tif 000013
2005523437.tif 000014